(57)【特許請求の範囲】
【請求項１】
（ａ）下記一般式（１）〜（３）の化合物から選ばれる水溶性抗菌性化合物０．１〜１０重量％、（ｂ）下記（ｉ）から選ばれる１種以上の化合物０．００１〜０．５重量％、（ｃ）下記（ii）から選ばれる１種以上の化合物０．００１〜０．５重量％及び（ｄ）非イオン界面活性剤及び陰イオン界面活性剤から選ばれる１種以上１０〜５０重量％を含有する洗濯用液体洗浄剤組成物。
【化１】
0003566171.tif 000015
〔式中、Ｒ１及びＲ６は炭素数８〜１６のアルキル基又はアルケニル基であり、Ｒ２、Ｒ３は炭素数１〜３のアルキル基又はヒドロキシアルキル基である。Ｘは−ＣＯＯ−、−ＯＣＯ−、−ＣＯＮＨ−、−ＮＨＣＯ−又は
【化２】
0003566171.tif 000016
である。Ｒ４、Ｒ５は、炭素数１〜６のアルキレン基又は−(Ｏ−Ｒ１１)ｋ−である。ここでＲ１１はエチレン基又はプロピレン基であり、ｋは１〜１０の数である。Ｒ７〜Ｒ１０はこれらの内２つ以上が炭素数８〜１２のアルキル基であり、残りが炭素数１〜３のアルキル基又はヒドロキシアルキル基である。ｍは０又は１の数である。Ｙ−は陰イオン基である。〕
（ｉ）１−ヘプタノール、α−メチルイオノン、ｎ−デシルアルデヒド、ｎ−ウンデシルアルデヒド、ｎ−ノニルアルデヒド、アリルヘプタノエート、アニスアルデヒド、ベンズアルデヒド、ベンジルアセテート、ブチルプロピオネート、セドロール、セドリルアセテート、シンナミックアルコール、シトロネラール、シクラメンアルデヒド、エチルブチレート、エチルカプロエート、エチルイソブチレート、エチルイソバレエート、エチルプロピオネート、オイゲノール、ファルネゾール、ゲラニオール、ヘプチルアルデヒド、ヘプチルホルメート、ヘキシルアセテート、ハイドラトロピックアルデヒド、イソボルニルアセテート、イソアミルホルメート、リモネン、リナロール、リナリルアセテート、メチルヘプテノン、ｐ−クレシルアセテート、ｐ−メチルアセトフェノン、フェニルアセトアルデヒド、プロピルプロピオネート、テルペニルアセテート、テトラハイドロリナロール、チモール
（ii）α−イオノン、アセチルセドレン、アセチルオイゲノール、デカノール、ドデカノール、γ−ウンデカラクトン、テトラデシルアルデヒド、オクタデシルアルデヒド、アニスアルコール、アニシルアセテート、ベンジルベンゾエート、ベンジルイソバレエート、ベンジルサリシレート、シンナミルアセテート、シトロネロール、シトロネリルイソブチレート、シトロネリルオキシアセトアルデヒド、クマリン、エチルシンナメート、エチルバニリン、ゲラニルイソブチレート、ゲラニルチグレート、ヘリオトロピン、ヘキシルシンナミックアルデヒド、ヒドロキシシトロネラール、インドール、β−イオノン、イソアミルシンナミックアルデヒド、イソアミルサリシレート、ジャスモン、メチルアントラニレート、メチルシンナメート、ムスコン、ネロリドール、シクロペンタデカノリド、フェニルアセティックアシッド、バニリン、エチル−ｐ−メチル−β−フェニルグリシドエート、セドリルメチルエーテル、４−（４−ヒドロキシ−４−メチルペンチル）−３−シクロヘキセン−１−カルボキシアルデヒド、ｐ−ｔｅｒｔ−ブチル−α−メチルヒドロシンナッミクアルデヒド、フェニルエチルフェニルアセテート
【請求項２】
（ｂ）成分と（ｃ）成分の重量比が（ｂ）／（ｃ）＝１０／１〜１／１０である請求項１記載の洗濯用液体洗浄剤組成物。
【請求項３】
（ａ）成分が２０℃における水１００ｇへの溶解度が１ｇ以上の化合物である請求項１又は２記載の洗濯用液体洗浄剤組成物。
【請求項４】
（ｅ）下記式（９）から求められるδが２０〜３１であり、且つ沸点が１００〜３５０℃の化合物を含有する請求項１〜３の何れか１項記載の洗濯用液体洗浄剤組成物。
δ＝[(１４８２０＋９９．２Ｔｂ＋０．０８４Ｔｂ２)／Ｖ]１／２    （９）
〔式中、Ｔｂは沸点（°Ｋ）、Ｖは２０℃におけるモル容積である。〕
【請求項５】
前記（ｅ）の化合物が、アルキルグリセリルエーテル、ジエチレングリコールモノエチルエーテル、ジエチレングリコールジエチルエーテル、トリエチレングリコールモノエチルエーテル、トリエチレングリコールジメチルエーテル、１，６−ヘキサンジオール、２，５−ヘキサンジオール、３−ペンタノン、メチルエチルケトン、シクロヘキサノール、２−ヘキサノール、１−オクタノールから選ばれる化合物である請求項４記載の洗濯用液体洗浄剤組成物。
【請求項６】
ｐＨが８〜１１（２０℃）である請求項１〜５の何れか１項記載の洗濯用液体洗浄剤組成物。
【発明の詳細な説明】
【０００１】
【発明の属する技術分野】
本発明は液体洗浄剤組成物に関する
【０００２】
【従来の技術及び発明が解決しようとする課題】
近年、衛生、防臭の観点から衣料用の液体洗浄剤に抗菌性化合物を配合する試みがなされている。例えば、特開平１−１９７５９８号公報には水溶性４級アンモニウムや塩化ベンザルコニウム塩を配合した貯蔵安定性に優れる液体洗浄剤が開示されている。また、特開平６−１２２８９３号公報には特定の陽イオン界面活性剤と特定のキレート剤を配合した液体洗浄剤が開示されている。
【０００３】
しかしながら、これらの抗菌効果はいまだ満足できるものではなく、特に皮脂汚れ等のひどい汚れが付着した衣料に対しては、抗菌作用が低下する。このため、洗浄後、湿度の高い室内で乾燥させたときに見られる衣料の異臭や汗等の体臭等の菌に由来する衣料の臭いを抑制する効果が低く、これらの改善が求められていた。
【０００４】
従って本発明の課題は、洗濯、乾燥の後に発生する、菌に由来する異臭や悪臭を抑制する効果の高い液体洗浄剤組成物を提供することにある。
【０００５】
【課題を解決するための手段】
本発明は、（ａ）水溶性抗菌性化合物０．１〜１０重量％、（ｂ）下記（ｉ）から選ばれる１種以上の化合物０．００１〜０．５重量％、（ｃ）下記（ｉｉ）から選ばれる１種以上の化合物０．００１〜０．５重量％及び（ｄ）非イオン界面活性剤及び陰イオン界面活性剤から選ばれる１種以上１０〜５０重量％を含有する液体洗浄剤組成物に関する。
（ｉ）１−ヘプタノール、α−メチルイオノン、ｎ−デシルアルデヒド、ｎ−ウンデシルアルデヒド、ｎ−ノニルアルデヒド、アリルヘプタノエート、アニスアルデヒド、ベンズアルデヒド、ベンジルアセテート、ブチルプロピオネート、セドロール、セドリルアセテート、シンナミックアルコール、シトロネラール、シクラメンアルデヒド、エチルブチレート、エチルカプロエート、エチルイソブチレート、エチルイソバレエート、エチルプロピオネート、オイゲノール、ファルネゾール、ゲラニオール、ヘプチルアルデヒド、ヘプチルホルメート、ヘキシルアセテート、ハイドラトロピックアルデヒド、イソボルニルアセテート、イソアミルホルメート、リモネン、リナロール、リナリルアセテート、メチルヘプテノン、ｐ−クレシルアセテート、ｐ−メチルアセトフェノン、フェニルアセトアルデヒド、プロピルプロピオネート、テルペニルアセテート、テトラハイドロリナロール、チモール
（ｉｉ）α−イオノン、アセチルセドレン、アセチルオイゲノール、デカノール、ドデカノール、γ−ウンデカラクトン、テトラデシルアルデヒド、オクタデシルアルデヒド、アニスアルコール、アニシルアセテート、ベンジルベンゾエート、ベンジルイソバレエート、ベンジルサリシレート、シンナミルアセテート、シトロネロール、シトロネリルイソブチレート、シトロネリルオキシアセトアルデヒド、クマリン、エチルシンナメート、エチルバニリン、ゲラニルイソブチレート、ゲラニルチグレート、ヘリオトロピン、ヘキシルシンナミックアルデヒド、ヒドロキシシトロネラール、インドール、β−イオノン、イソアミルシンナミックアルデヒド、イソアミルサリシレート、ジャスモン、メチルアントラニレート、メチルシンナメート、ムスコン、ネロリドール、シクロペンタデカノリド、フェニルアセティックアシッド、バニリン、エチル−ｐ−メチル−β−フェニルグリシドエート、セドリルメチルエーテル、４−（４−ヒドロキシ−４−メチルペンチル）−３−シクロヘキセン−１−カルボキシアルデヒド、ｐ−ｔｅｒｔ−ブチル−α−メチルヒドロシンナッミクアルデヒド、フェニルエチルフェニルアセテート
【０００６】
【発明の実施の形態】
（ａ）成分
本発明では（ａ）成分として水溶性抗菌性化合物を用いる。好ましくは２０℃における水１００ｇへの溶解度が１ｇ以上、特に好ましくは２ｇ以上の抗菌性化合物を用いる。ここで、溶解度は、（ａ）成分１ｇを量り、これに２０℃の水を加えていき、（ａ）成分が完全に溶けたときの水の量から水１００ｇあたりの（ａ）成分のグラム数を求めることができる。また、抗菌性化合物とは木綿金巾＃２００３に該化合物１重量％を均一に付着させた布を用いＪＩＳ  Ｌ  １９０２「繊維製品の抗菌性試験法」に準じた方法で抗菌性試験を行い阻止帯が見られる化合物である。本発明で好ましい抗菌性化合物としては１つ以上の炭素数８〜１６、好ましくは８〜１４の炭化水素基、好ましくはアルキル基又はアルケニル基を１つ有する４級アンモニウム塩型の抗菌性化合物が挙げられる。特に好ましい抗菌性化合物としては下記一般式（１）〜（３）の化合物が挙げられる。
【０００７】
【化３】
0003566171.tif 000002
【０００８】
〔式中、Ｒ１及びＲ６は炭素数８〜１６、好ましくは８〜１４のアルキル基又はアルケニル基であり、Ｒ２、Ｒ３は炭素数１〜３のアルキル基又はヒドロキシアルキル基である。Ｘは−ＣＯＯ−、−ＯＣＯ−、−ＣＯＮＨ−、−ＮＨＣＯ−又は
【０００９】
【化４】
0003566171.tif 000003
【００１０】
である。Ｒ４、Ｒ５は、炭素数１〜６、好ましくは１〜４のアルキレン基又は−（Ｏ−Ｒ１１）ｋ−である。ここでＲ１１はエチレン基又はプロピレン基、好ましくはエチレン基であり、ｋは１〜１０、好ましくは１〜５の数である。Ｒ７〜Ｒ１０はこれらの内２つ以上、好ましくは２つが炭素数８〜１２、好ましくは８〜１０のアルキル基であり、残りが炭素数１〜３のアルキル基である。ｍは０又は１の数である。Ｙ−は陰イオン基、好ましくはハロゲンイオン、硫酸イオン、炭素数１〜３のアルキル硫酸イオンである。〕
本発明では特に一般式（１）又は（２）の化合物が好ましく、最も好ましい（ａ）成分としては下記のものを挙げることができる。
【００１１】
【化５】
0003566171.tif 000004
【００１２】
本発明の液体洗浄剤組成物は、（ａ）成分を０．１〜１０重量％、好ましくは０．５〜８重量％含有する。
【００１３】
（ｂ）成分
本発明の（ｂ）成分は、上記（ｉ）から選ばれる１種以上の化合物である。（ｉ）の化合物として特に好ましいものはシトロネラール、フェニルアセトアルデヒド、リナロール、ベンジルアセテート、テトラハイドロリナロール、イソアミルホルメート、ブチルプロピオネート、エチルブチレート、ヘプチルアルデヒド、ｎ−ノニルアルデヒド、エチルイソブチレート、エチルカプロエート、エチルプロピオネート、エチルイソバレエート、ヘプチルホルメート、ヘキシルアセテート、プロピルプロピオネート、メチルヘプテノンである。
【００１４】
本発明の液体洗浄剤組成物は、（ｂ）成分を０．００１〜０．５重量％、好ましくは０．００５〜０．３重量％、特に好ましくは０．０１〜０．２重量％含有する。
【００１５】
（ｃ）成分
本発明の（ｃ）成分は上記（ｉｉ）から選ばれる１種以上の化合物である。（ｉｉ）の化合物として特に好ましいものはα−イオノン、ベンジルベンゾエート、ベンジルイソバレエート、ベンジルサリシレート、シトロネロール、ムスコン、クマリン、ヘリオトロピン、β−イオノン、シクロペンンデカノリド、バニリンである。
【００１６】
本発明の液体洗浄剤組成物は、（ｃ）成分を０．００１〜０．５重量％、好ましくは０．００５〜０．３重量％、特に好ましくは０．０１〜０．２重量％含有する。
【００１７】
本発明では（ｂ）成分の抗菌効果を示す化合物と（ｃ）成分の沸点が比較的高い化合物とを併用することにより、衣料に抗菌効果を持つ香料を残香させることができ、その結果、高い防臭効果と効果の持続性を付与することができる。（ｂ）成分と（ｃ）成分の重量比は、防臭効果の持続性と抗菌効果から、（ｂ）／（ｃ）＝１０／１〜１／１０、更に５／１〜１／５、特に３／１〜１／３が好ましい。
【００１８】
（ｄ）成分
本発明では（ｄ）成分として非イオン界面活性剤及び陰イオン界面活性剤から選ばれる１種以上を含有する。非イオン界面活性剤としては炭素数１０〜２０のアルキル基又はアルケニル基を１つ以上有するポリオキシエチレンアルキル又はアルケニルエーテルが好ましく、特に一般式（４）の非イオン界面活性剤が良好である。
Ｒ１２−Ｔ−［（Ｒ１３Ｏ）ｐ−Ｈ］ｑ      （４）
〔式中、Ｒ１２は、炭素数１０〜１８、好ましくは１２〜１８のアルキル基又はアルケニル基であり、Ｒ１３は炭素数２又は３のアルキレン基であり、好ましくはエチレン基である。ｐは平均付加モル数であり、２〜１００、好ましくは５〜４０、特に好ましくは５〜２０の数である。Ｔは−Ｏ−、−Ｎ−又は−ＣＯＮ−であり、Ｔが−Ｏ−の場合はｑは１であり、Ｔが−Ｎ−又は−ＣＯＮ−の場合はｑは２である。〕
一般式（４）の化合物の具体例としては以下の化合物（５）又は（６）を挙げることができる。
Ｒ１４−Ｏ−（Ｃ２Ｈ４Ｏ）ｒ−Ｈ                （５）
〔式中、Ｒ１４は炭素数１２〜１８のアルキル基であり、ｒは平均付加モル数であり、５〜２０、好ましくは５〜１５の数である。〕
Ｒ１４−Ｏ−（Ｃ２Ｈ４Ｏ）ｓ（Ｃ３Ｈ６Ｏ）ｔ−Ｈ      （６）
〔式中、Ｒ１４は前記と同じ意味であり、ｓ及びｔは平均付加モル数であり、それぞれ独立に２〜２０、好ましくは２〜１５の数であり、好ましいｓとｔの合計は５〜２０、更に５〜１５である。また、エチレンオキシドとプロピレンオキシドはランダムあるいはブロック付加体であってもよい。〕
また、アルキルポリグルコシド、一般式（７）又は（８）の脂肪族アルカノールアミド等の非イオン界面活性剤を用いることもできる。
【００１９】
【化６】
0003566171.tif 000005
【００２０】
陰イオン界面活性剤としてはアルキルベンゼンスルホン酸又はその塩、アルキル又はアルケニルエーテル硫酸塩、アルキル又はアルケニル硫酸塩、オレフィンスルホン酸塩、アルカンスルホン酸塩、脂肪酸又はその塩、アルキル又はアルケニルエーテルカルボン酸塩、α−スルホ脂肪酸塩、又はα−スルホ脂肪酸エステル類を使用することができ、特に炭素数が１０〜２０のアルキルベンゼンスルホン酸又はその塩、アルキル又はアルケニルエーテル硫酸塩、アルキル又はアルケニル硫酸塩、飽和脂肪酸又はその塩が好ましい。
【００２１】
本発明の（ａ）成分である水溶性の抗菌性化合物は、皮脂汚れ等のひどい親油性汚れが付着した衣料に対しては効果が低下する傾向を示すが、本発明の（ｄ）成分は、このような親油性の汚れに対して抗菌性化合物を効率よく作用させる働きを持つものであり、非イオン界面活性剤を単独で使用するか非イオン界面活性剤と陰イオン界面活性剤とを併用することが望ましい。特に非イオン界面活性剤と陰イオン界面活性剤の併用が好ましく、重量比で非イオン界面活性剤／陰イオン界面活性剤＝１００／１〜２／１、更には５０／１〜５／１、特には４０／１〜１０／１で併用することが防臭効果の点で望ましい。また、（ａ）成分と（ｄ）成分の重量比は、（ａ）／（ｄ）＝１／１００〜１／１、特に１／５０〜１／２が効率よく抗菌効果を得るために好ましい。また、陰イオン界面活性剤を用いる場合、防臭効果の点から、（ａ）成分／陰イオン界面活性剤＝２０／１〜１／１、特に１０／１〜１／１の重量比が好ましい。
【００２２】
本発明の液体洗浄剤組成物は、（ｄ）成分を合計で１０〜５０重量％、好ましくは１０〜４０重量％含有する。
【００２３】
本発明の液体洗浄剤組成物は、上記（ａ）成分〜（ｄ）成分と水を含有する。水は、イオン交換水又は蒸留水を使用することが望ましい。水の含有量は５〜５０重量％、更に１０〜５０重量％、特に２０〜４５重量％が効果の点で望ましい。また、組成物のｐＨ（２０℃）は８〜１１、好ましくは９〜１１が洗浄性能の点から望ましい。
【００２４】
本発明では（ｅ）成分として下記式（９）から求められるδが２０〜３１、好ましくは２０〜３０、より好ましくは２１〜２７であり、且つ沸点が１００〜３５０℃、好ましくは１５０〜３００℃の化合物を配合することが防臭効果及び洗浄効果の点から望ましい。
δ＝［（１４８２０＋９９．２Ｔｂ＋０．０８４Ｔｂ２）／Ｖ］１／２    （９）
〔式中、Ｔｂは沸点（°Ｋ）、Ｖは２０℃におけるモル容積である。〕。
【００２５】
ここで本発明のδは溶解度パラメータに近似するものであり「溶液と溶解度」〔篠田耕三著、平成３年４月３０日、丸善（株）発行〕の７８頁〜８２頁に記載されているものである。本発明のδ値を満足する化合物としてはアルキルグリセリルエーテル、ジエチレングリコールモノエチルエーテル、ジエチレングリコールジエチルエーテル、トリエチレングリコールモノエチルエーテル、トリエチレングリコールジメチルエーテル、１，６−ヘキサンジオール、２，５−ヘキサンジオール、３−ペンタノン、メチルエチルケトン、シクロヘキサノール、２−ヘキサノール、１−オクタノール等を挙げることができる。
【００２６】
これらの中でもアルキル基の炭素数が３〜８のアルキルグリセリルエーテル類、ジ又はトリエチレングリコールのモノ又はジアルキル（アリル）エーテル類が好ましく、特にアルキル基の炭素数が５〜８のアルキルグリセリルエーテル類が好ましい。
【００２７】
（ｅ）成分は、組成物中に０．５〜２０重量％、更に１〜１５重量％、特に１〜１０重量％配合することが好ましい。
【００２８】
本発明では貯蔵安定性の点から（ｆ）成分として液体洗浄剤組成物に有機又は無機塩を配合することが好ましく、特に塩化ナトリウム、塩化カリウム、塩化カルシウム等の塩化物、硫酸ナトリウム、硫酸カリウム、硫酸カルシウム等の硫酸化物、亜硫酸ナトリウム、亜硫酸カリウム等の亜硫酸化物等の無機塩を添加することが望ましい。また、ハイドロトロープ剤としてｐ−トルエンスルホン酸塩、ｏ−トルエンスルホン酸塩、メタキシレンスルホン酸塩、クメンスルホン酸塩、安息香酸塩等を添加することも望ましい。これらの化合物の配合量は、組成物中に好ましくは０．０１〜１０重量％、より好ましくは０．０５〜８重量％である。
【００２９】
本発明では防臭効果をさらに高める目的で（ｇ）成分としてカルシウムイオン封鎖剤を配合することが好ましい。このような化合物としては、（１）フィチン酸等のリン酸系化合物又はその塩、（２）エタン−１，１−ジホスホン酸、エタン−１，１，２−トリホスホン酸、エタン−１−ヒドロキシ−１，１−ジホスホン酸及びその誘導体、エタンヒドロキシ−１，１，２−トリホスホン酸、エタン−１，２−ジカルボキシ−１，２−ジホスホン酸、メタンヒドロキシホスホン酸等のホスホン酸又はそれらの塩、（３）２−ホスホノブタン−１，２−ジカルボン酸、１−ホスホノブタン−２，３，４−トリカルボン酸、α−メチルホスホノコハク酸等のホスホノカルボン酸又はそれらの塩、（４）アスパラギン酸、グルタミン酸、グリシン等のアミノ酸又はその塩、（５）ニトリロ三酢酸、イミノ二酢酸、エチレンジアミン四酢酸、ジエチレントリアミン五酢酸、グリコールエーテルジアミン四酢酸、ヒドロキシエチルイミノ二酢酸、トリエチレンテトラアミン六酢酸、ジエンコル酸等のアミノポリ酢酸又はそれらの塩、（６）ジグリコール酸、オキシジコハク酸、カルボキシメチルオキシコハク酸、クエン酸、乳酸、酒石酸、シュウ酸、リンゴ酸、コハク酸、グルコン酸、カルボキシメチルコハク酸、カルボキメチル酒石酸等の有機酸又はそれらの塩、（７）ゼオライトＡ等のアルミノケイ酸塩、（８）アミノポリ（メチレンホスホン酸）もしくはその塩、又はポリエチレンポリアミンポリ（メチレンホスホン酸）もしくはそれらの塩、（９）アクリル酸、メタクリル酸、無水マレイン酸、クロトン酸等のモノマーから誘導される平均分子量４千〜１０万のホモポリマーあるいはコポリマー等が挙げられる。
【００３０】
これらの中で、上記（２）、（５）、（６）、（７）及び（９）からなる群より選ばれる少なくとも１種が好ましく、（６）及び（９）からなる群より選ばれる少なくとも１種がさらに好ましい。
【００３１】
このようなカルシウムイオン封鎖剤の配合量は、本発明の組成物中に、０〜８重量％、更に０．０５〜５重量％、特に０．５〜３重量％が望ましい。
【００３２】
本発明では（ｈ）成分としてアルカリ剤を配合することが洗浄効果の点から好ましい。アルカリ剤としてはモノエタノールアミン、ジエタノールアミン、トリエタノールアミン、メチルモノエタノールアミン、ジメチルエタノールアミン等のエタノールアミン類、水酸化ナトリウム、水酸化カリウム等の無機塩基等を使用することができ、特にモノエタノールアミン、水酸化ナトリウム、又は水酸化カリウムから選ばれる１種以上が好ましい。アルカリ剤の配合量は組成物中に０．５〜１０重量％、特に１〜８重量％が好ましい。
【００３３】
本発明の液体洗浄剤組成物には、本発明の効果性能を損なわない程度に各種洗浄剤成分を配合できる。例えば（ｄ）成分以外の界面活性剤としては、アミンオキシド、スルホベタイン、カルボベタイン等の両性界面活性剤、第４級アンモニウム塩類等の陽イオン界面活性剤が挙げられる。可溶化剤としてはグリセリン、ソルビトール等の多価アルコール類等が挙げられる。香料、色素、防腐・防黴剤、増粘剤等を所望により添加しても良い。
【００３４】
【実施例】
＜液体洗浄剤組成物＞
下記成分及び表２〜８の香料組成物を用いて表１の液体洗浄剤組成物を調製した。ｐＨはＮ／１０硫酸水溶液又はＮ／１０水酸化ナトリウム水溶液により調整した。これら組成物の防臭効果及び殺菌効果を下記の方法で評価した。結果を表１に示す。
【００３５】
【化７】
0003566171.tif 000006
【００３６】
・ｄ−１：Ｃ１２Ｈ２５−Ｏ−（ＥＯ）７−Ｈ
・ｄ−２：Ｃ１２Ｈ２５−Ｏ−（ＥＯ）２（ＰＯ）３（ＥＯ）５−Ｈ
・ｄ−３：炭素数１２〜１４の直鎖アルキルベンゼンスルホン酸ナトリウム
・ｄ−４：アルキル基の炭素数１２、エチレンオキシド平均付加モル数２．５のポリオキシエチレンアルキルエーテル硫酸ナトリウム
・ｅ−１：Ｃ８Ｈ１７ＯＣＨ２ＣＨ（ＯＨ）ＣＨ２ＯＨ（δ＝２１．９６、沸点２９０℃）
・ｅ−２：Ｃ５Ｈ１１ＯＣＨ２ＣＨ（ＯＨ）ＣＨ２ＯＨ（δ＝２３．２７、沸点２４０℃）
・ｆ−１：亜硫酸ナトリウム
・ｇ−１：ポリアクリル酸ナトリウム（重量平均分子量５千）
・ｈ−１：ジエタノールアミン
・ｈ−２：水酸化ナトリウム。
【００３７】
＜防臭効果の評価＞
（処理方法）
３０代男性５人が１２時間着用したワイシャツ（木綿９０％、ポリエステル１０％）５枚を表１の液体洗浄剤組成物を用いて洗濯機で洗浄した（東芝製２槽式洗濯機ＶＨ−３６０Ｓ１、洗剤濃度０．０６６７重量％、水道水３０Ｌ使用、水温２０℃、１０分間）。その後、２回すすぎを行い、１分間脱水を行った。その後、湿度７０％、２５℃の恒温室で１２時間乾燥した。
【００３８】
（消臭効果の評価）
恒温室で乾燥させた衣料の臭いと、それら衣料を２０代男性５人に１２時間着用させた後の衣料の臭いを、それぞれ１０人のパネラー（３０代男性１０人）により下記の基準で判定し、平均点を求めた。平均点が０．７未満を◎、０．７以上１．２未満を○、１．２以上１．７未満を△、１．７以上を×として判定した。ほとんど臭いを感じない……０
かすかに臭いを感じるが気にならない程度である……１
臭いがする……２
顕著に臭いがする……３。
【００３９】
＜抗菌性の評価＞
ＳＣＤ培地（日本製薬（株）製）に前培養した菌液（Ｅｓｃｈｅｒｉｃｈｉａｃｏｌｉ  ＩＦＯ  ３９７２、Ｐｓｅｕｄｏｍｏｎａｓ  ａｅｒｕｇｉｎｏｓａ  ＩＦＯ  １２６８９、約１０９〜１０１０ｃｅｌｌ／ｍｌ）を０．１ｍｌ取り、滅菌蒸留水で所定の濃度（殺菌剤濃度１、５、１０、２５、５０、７５、１００、２００、３００、５００ｐｐｍ）に希釈した液１０ｍｌに接種し、室温にて作用させた。一定時間（５、１０、１５、３０分）毎に菌接触液を一白金耳量採取し、後培養用ＳＣＤ培地０．３ｍｌの入ったミクロシャーレ（ＣＯＲＮＩＮＧ社製，９６−Ｃｅｌｌ  Ｗｅｌｌｓ）へ接種した〔各洗浄剤組成物について希釈率１０種（濃度）×菌接触時間４種（時間）＝４０カ所〕。３０℃で３日間培養し、菌の発育を肉眼で観察し、効果の強度を殺菌エリア数で判定した。すなわち、ミクロプランター上で菌の生育していない箇所を測定することで判定した（最大４０）。
【００４０】
【表１】
0003566171.tif 000007
【００４１】
【表２】
0003566171.tif 000008
【００４２】
【表３】
0003566171.tif 000009
【００４３】
【表４】
0003566171.tif 000010
【００４４】
【表５】
0003566171.tif 000011
【００４５】
【表６】
0003566171.tif 000012
【００４６】
【表７】
0003566171.tif 000013
【００４７】
【表８】
0003566171.tif 000014